(57)【要約】【課題】秤量コンベアを用いた重量測定装置において長さが異なる多様な品種の被測定物に対応して安定計量を可能とする。【解決手段】重量測定装置１は、コンベア長が可変とされた秤量コンベア３と搬入コンベア２を備える。秤量コンベアは、被測定物の長さと、秤量コンベアが測定時間内に被測定物を搬送する長さの合計以上の長さに設定され、搬送コンベアのコンベア長は、所定の値から秤量コンベアのコンベア長を引いた値に設定される。秤量コンベアの長さを被測定物の長さ等に基づいて重量測定に適した長さに設定されるので、どのような長さの被測定物についても安定した重量測定を行える。【選択図】図１
2020098117.tif 000002
【特許請求の範囲】
【請求項１】
被測定物を搬送しながら重量を測定するとともに、被測定物の長さに応じて搬送方向の長さが変更できる秤量コンベア（３）と、
前記秤量コンベアとの間で被測定物を連続して搬送できるように前記秤量コンベアに隣接して設けられ、被測定物の長さに応じて搬送方向の長さが変更できる搬送コンベア（２）と、
を具備することを特徴とする重量測定装置（１）。
【請求項２】
前記秤量コンベア（３）と前記搬送コンベア（２）の搬送方向の長さの合計値が所定の値に定められており、被測定物の長さに応じて設定された前記秤量コンベアの搬送方向の長さに応じて、前記搬送コンベアの搬送方向の長さが設定されることを特徴とする請求項１記載の重量測定装置（１）。
【請求項３】
前記搬送コンベア（２）は、前記秤量コンベア（３）の上流側に設けられた搬入コンベア（２）と、前記秤量コンベアの下流側に設けられた搬出コンベアの少なくとも何れか一方であることを特徴とする請求項１又は２に記載の重量測定装置。
【請求項４】
被測定物の長さと、前記秤量コンベア（３）が測定時間内に被測定物を搬送する長さの合計以上の長さとなるように、前記秤量コンベアの搬送方向の長さを設定する制御部（１０）を備えたことを特徴とする請求項１乃至３に記載の重量測定装置（１）。
【発明の詳細な説明】
【技術分野】
【０００１】
本発明は、被測定物を搬送しながら重量を測定する秤量コンベアと、秤量コンベアに隣接して設けられた搬送コンベアとを有する重量測定装置に係り、特に、秤量コンベアと搬送コンベアの搬送方向の長さを変更できるようにすることで、長さの異なる多様な種類の被測定物について最適な重量測定を行える重量測定装置に関するものである。
【０００２】
下記特許文献１には、長いコンベアと短いコンベアの２つのコンベアを有し、これら２つのコンベア同士を互いに交換可能とした重量選別装置の発明が開示されている。この重量選別装置は、被計量物４０を搬送する助走部３と、被計量物４０の重量を計量する秤量部４とを有する測定部２を備えている。助走部３は、助走コンベア５ａと、この助走コンベア５ａを着脱自在に支持する一対の助走部取付板９ａ，９ａと、助走部モータ１６ａとで構成されている。秤量部４は、秤量手段３０と、秤量コンベア５ｂと、この秤量コンベア５ｂを着脱自在に支持する一対の秤量部取付板９ｂ，９ｂと、助走部モータ１６ａと回転対称となる位置に設けられる秤量部モータ１６ｂとで構成されている。
【０００３】
助走部取付板９ａと秤量部取付板９ｂとは対称形状であるため、助走コンベア５ａと秤量コンベア５ｂとは互いに交換可能であり、一方は長く、他方は短くなっている。従って、搬送方向に長い一方のコンベアを秤量コンベア５ｂとし、搬送方向に短い他方のコンベアを助走コンベア５ａとすることで、全長が長い被計量物４０を好適に計量できる。また、搬送方向に短い他方のコンベアを秤量コンベア５ｂとし、搬送方向に長い一方のコンベアを助走コンベア５ａとすることで、全長が短い被計量物４０を好適に計量できる。このように、長さの異なる被計量物であっても、被計量物４０の長さに応じて秤量部４の秤量コンベア５ｂを長くしたり、短くしたりすることで対応が可能となり、秤量コンベアのベルトスピードを変えずに同じ仕事能力で計量することができる。
【先行技術文献】
【特許文献】
【０００４】
【特許文献１】特開２００５−１８７１７０号公報
【発明の概要】
【発明が解決しようとする課題】
【０００５】
被測定物の重量を測定する重量測定装置として、被測定物を搬送しながら重量を測定する秤量コンベアを用いた装置が知られている。このような重量測定装置のラインでは、搬送方向の長さが異なる複数種類の被測定物を対象とし、生産計画の変更等により被測定物の種類を随時変更する場合があるため、通常は最も長い被測定物に適した長さの秤量コンベアが組み込まれた機種を選定するのが普通である。
【０００６】
ところが、このような重量測定装置に対する被測定物の投入において、秤量コンベアが重量を測定しながら被測定物を搬送する長さである秤量長さ（又は秤量コンベア長）よりも被測定物の方が相対的に短く、秤量コンベアに対する投入ピツチ（間隔）が短いと、秤量コンベアに２個の被測定物が同時に載置されて搬送される所謂２個乗りの状況となり、重量測定が不可能となる場合がある。例えば、重量測定装置の前段に生産ラインが接続されているような場合には、被測定物を効率的に生産して下流の重量測定装置に連続的に送り出していく必要上、被測定物を、その長さに応じた能力（搬送ピッチ）で搬送することが一般的である。すなわち、相対的に短い被測定物であれば相対的に短い搬送ピッチで搬送し、また相対的に長い被測定物であれば相対的に長い搬送ピッチで搬送するが、このような場合において、相対的に長い秤量コンベア長の秤量コンベアで相対的に短い被測定物を測定しようとすると、前記２個乗りが発生しやすい。このように相対的に長い秤量コンベア長の秤量コンベアで相対的に短い被測定物を測定する場合において、前記２個乗りの発生を避けるためには、重量測定装置に被測定物を供給する生産ラインの生産能力を落とし、秤量コンベアに入ってくる被測定物の間隔を長くする必要がある。しかしこれでは、被測定物の長さに応じて重量測定作業の効率が決定されてしまい、生産効率が低下するという問題がある。
【０００７】
また、前記２個乗りの発生を避ける他の解決手段として、秤量コンベアの搬送速度と、その前段の搬送速度との間に速度差を設けるべく、秤量コンベアの前段に助走コンベアと呼ばれる加速用の搬送コンベアを設けることも考えられる。すなわち、２個乗りが発生しないように、秤量コンベアの上流側の隣部に助走コンベアを設け、これをさらに上流の搬送コンベア及び秤量コンベアより大きい速度で駆動する。この場合、助走コンベアの上流の搬送ラインから被測定物が短いピッチで送られてくると、助走コンベアに乗り移った被測定物は、上流の搬送ラインよりも早い速度で搬送されるため、上流側にある被測定物と引き離されてピッチが大きくなった状態で秤量コンベアに送り込まれることになる。
【０００８】
しかしながら、このような助走コンベアを用いた増速による引き離しにより、被測定物の間隔や姿勢に乱れが生じることがあり、またコンベア速度が上がることで測定精度が低下することがあった。また、助走コンベアを設ければ、重量測定装置は全体としての機長が長くなる。さらに、助走コンベアの代替手段として、搬送されている被測定物を所定位置に留め置く開閉自在のシャッタ手段等を搬送ライン中に設け、被測定物の間隔を調整することも考えられるが、このような追加の機構を搬送ラインに付設すれば、結局助走コンベアを設けた場合と同様、重量測定装置として構成が冗長になり、全体としての機長が長くなることは避けられない。
【０００９】
上記特許文献１に開示された重量選別装置の発明によれば、秤量部の秤量コンベアに長いコンベアを用いたり、短いコンベアを用いたりすることで、長さの異なる被計量物に対応することが可能であるものとされているが、秤量コンベアの秤量長さ（秤量コンベア長）は２種類しかなく、多様な長さの被測定物を任意に測定対象とすることはできず、結局上述した問題は解決できない。
【００１０】
本発明は、以上説明した従来の技術における課題に鑑みてなされたものであり、秤量コンベアを用いる重量測定装置において、搬送方向の長さが異なる多様な品種の被測定物に対応して安定計量が可能な重量測定装置を提供することを目的としている。
【課題を解決するための手段】
【００１１】
請求項１に記載された重量測定装置１は、
被測定物を搬送しながら重量を測定するとともに、被測定物の長さに応じて搬送方向の長さが変更できる秤量コンベア３と、
前記秤量コンベア３との間で被測定物を連続して搬送できるように前記秤量コンベア３に隣接して設けられ、被測定物の長さに応じて搬送方向の長さが変更できる搬送コンベア２と、
を具備することを特徴としている。
【００１２】
請求項２に記載された重量測定装置１は、請求項１記載の重量測定装置１において、
前記秤量コンベア３と前記搬送コンベア２の搬送方向の長さの合計値が所定の値に定められており、被測定物の長さに応じて設定された前記秤量コンベア３の搬送方向の長さに応じて、前記搬送コンベア２の搬送方向の長さが設定されることを特徴としている。
【００１３】
請求項３に記載された重量測定装置１は、請求項１又は２に記載の重量測定装置１において、
前記搬送コンベア２は、前記秤量コンベア３の上流側に設けられた搬入コンベア２と、前記秤量コンベア３の下流側に設けられた搬出コンベアの少なくとも何れか一方であることを特徴としている。
【００１４】
請求項４に記載された重量測定装置１は、請求項１乃至３に記載の重量測定装置１において、
被測定物の長さと、前記秤量コンベア３が測定時間内に被測定物を搬送する長さの合計以上の長さとなるように、前記秤量コンベア３の搬送方向の長さを設定する制御部１０を備えたことを特徴としている。
【発明の効果】
【００１５】
請求項１に記載された重量測定装置によれば、秤量コンベアの長さを、被測定物の長さ等の検査条件等に基づいて重量測定に適した長さに設定することができるため、どのような長さの被測定物についても安定した重量測定を行うことができる。
【００１６】
請求項２に記載された重量測定装置によれば、安定した重量測定を行うために被測定物の長さに対応して秤量コンベアの長さを設定し、設定した秤量コンベアの長さに対応して搬送コンベアの長さを適宜に決定することにより、秤量コンベアと搬送コンベアの搬送方向の長さの合計値を所定の値とすることができる。このため、被測定物の長さに応じて秤量コンベアと搬送コンベアの長さを変更しても、重量測定装置の全体としての機長は変わらず、重量測定装置の設置位置に必要とされるスペースに変更は生じない。
【００１７】
請求項３に記載された重量測定装置によれば、被測定物を搬入コンベアで秤量コンベアに搬入する構成とすることもできるし、秤量コンベアで重量測定した被測定物を搬出コンベアで搬出する構成とすることもできる。
【００１８】
請求項４に記載された重量測定装置によれば、秤量コンベアの長さを、被測定物の長さ等の検査条件等に基づき、被測定物の長さと、前記秤量コンベアが測定時間内に被測定物を搬送する長さの合計以上の長さに設定することができるため、どのような長さの被測定物についても安定した重量測定を確実に行うことができる。
【図面の簡単な説明】
【００１９】
【図１】本発明の実施形態である重量測定装置の機構部分の模式的構成図であって、分図（ａ）は下流側の秤量コンベアが上流側の搬入コンベアよりも長い場合を示しており、分図（ｂ）は上流側の搬入コンベアが下流側の秤量コンベアよりも長い場合を示している。
【図２】本発明の実施形態である重量測定装置における制御部等の機能ブロック図である。
【発明を実施するための形態】
【００２０】
実施形態の重量測定装置１を図１及び図２を参照して説明する。
図１は、実施形態の重量測定装置１のうち、主として機構部分の構成を模式的に示す構成図である。この重量測定装置１における被測定物の搬送方向は、図１中に矢印で示した通りである。この重量測定装置１は、図中左方の上流側から同右方の下流側に被測定物を搬送する機能と、搬送中に被測定物の重量を測定する機能を備えている。これらの機能を実現する構成として、重量測定装置１は、上流側から搬送された被測定物を受け取って搬送する搬送コンベアとしての搬入コンベア２（図において左側）と、搬入コンベア２の下流側に隣接して設けられ、搬入コンベア２から受け渡された被測定物を搬送しながら重量を測定する秤量コンベア３（図において右側）を備えている。なお、図１には示さないが、秤量コンベア３は秤量手段に搭載されており、秤量手段が秤量コンベア３の重量と搬送中の被測定物の重量の合計値を測定し、合計値から秤量コンベア３の重量を差し引いた値が被測定物の重量の測定値として出力される。
【００２１】
図１（ａ）と図１（ｂ）を比較すると分かるように、下流側（右側）の秤量コンベア３は、搬送方向の長さを変更することができる構成となっている。すなわち、秤量コンベア３は、５個のローラＲ１〜Ｒ５にベルト４を掛け回した構造となっており、さらに５個のローラＲ１〜Ｒ５のうち、上流側の一端部のローラＲ１と、ベルト４の回転方向について一端部のローラＲ１の上流側隣部のローラＲ２の２つが移動可能となっている。そして、両ローラＲ１，Ｒ２を、一定の間隔を保つように図示しない連結板に回動自在に取り付け、コンベア長設定手段５によって前記連結板を搬送方向に沿って移動させることにより、一端部のローラＲ１の位置を、所定の移動範囲の中で、搬送方向の任意の位置に設定しながら、ローラＲ１とベルト４の接触面の面積が必要な値に維持された安定的な搬送性能を発揮することができる。また、ローラＲ２に隣接する下部のローラＲ３は、ローラＲ１、Ｒ２の移動に伴って生じうるベルト４の張力の変動を調整するためのばね式もしくはねじ式の張力調整機構を備えている。これによって秤量コンベア３は、重量を測定しながら被測定物を搬送する長さ、すなわち秤量長さ（又は秤量コンベア長、略してコンベア長とも言う。）を一端側のローラ群（Ｒ１、Ｒ２、Ｒ３）の操作で任意に設定することができる。
【００２２】
図１の例では、コンベア長設定手段５は、全体として搬送方向を長手方向とする無端状のベルト４の内側の空間を有効に利用し、この空間に搬送方向に略平行な横置きの姿勢で配置された省スペースのコンパクトな構成とされている。また、このコンベア長設定手段５は、図１においては搬送方向に沿って出没自在とされたロッドを上流側に向けたシリンダ状のアクチュエータとして示されており、具体的には油圧シリンダ又は空気圧シリンダ等の流体圧アクチュエータや、電動シリンダ等の電動アクチュエータが採用できる。さらに、同様の動作を電動モータで実現することもできる。電動アクチュエータは、柔軟なケーブルを任意のパターンで配線して外部からの電気を導くことができるため、上述したコンパクトな構成の秤量コンベア３には駆動源として好適である。
【００２３】
秤量コンベア３がコンベア長を任意に変更、設定できる構成としたのは、重量測定装置１のラインにおいては、搬送方向の長さが異なる複数種類の被測定物を対象とし、被測定物の種類が随時変更される場合があるためである。前述したように、相対的に長いコンベア長の機種で相対的に短い被測定物を測定すると、２個乗りを避けるために秤量コンベア３の前段の速度と秤量コンベア３の速度の差を大きくする必要が生じ、前段との過度な速度差によって重量の測定精度等の性能が低下してしまう。そこで、実施形態のように、被測定物の長さに応じて秤量コンベア３のコンベア長を設定することとすれば、搬送速度を大きくする必要もなく、姿勢の乱れを未然に防止して適正な重量測定を行うことができる。
【００２４】
図１に示すように、上流側（左側）の搬入コンベア２も、秤量コンベア３と同様、搬送方向の長さを変更することができる構成となっている。すなわち、搬入コンベア２は、５個のローラＲ６〜Ｒ１０にベルト４を掛け回した構造となっており、さらに５個のローラＲ６〜Ｒ１０のうち、下流側の一端部のローラＲ６と、ベルト４の回転方向について一端部のローラＲ６の下流側隣部のローラＲ７の２つが移動可能となっている。そして、両ローラＲ６，Ｒ７を、一定の間隔を保つように図示しない連結板に回動自在に取り付け、コンベア長設定手段６によって前記連結板を搬送方向に沿って移動させることにより、一端部のローラＲ６の位置を、所定の移動範囲の中で、搬送方向の任意の位置に設定しながら、ローラＲ６とベルト４との接触面の面積が必要な値に維持された安定的な搬送性能を発揮することができる。また、ローラＲ７に隣接する下部のローラＲ８は、ローラＲ６、Ｒ７の移動に伴って生じうるベルト４の張力の変動を調整するためのばね式もしくはねじ式の張力調整機構を備えている。これによって搬入コンベア２はコンベア長を一端側のローラ群（Ｒ６、Ｒ７、Ｒ８）の操作で任意に設定することができる。コンベア長設定手段６の構成は秤量コンベア３のコンベア長設定手段５と同様である。
【００２５】
以上説明したように、秤量コンベア３と搬入コンベア２は、互いに対峙するローラ群であるローラＲ１、Ｒ２、Ｒ３とローラＲ６、Ｒ７、Ｒ８を、それぞれアクチュエータによって操作することにより、そのコンベア長を任意に設定することができるが、両コンベア２，３のコンベア長の合計は一定の値に定められている。すなわち、一方が長くなれば、その分だけ多方が短くなる関係にある。また、搬入コンベア２の下流側の一端部のローラＲ６と、秤量コンベア３の上流側の一端部のローラＲ１とは、常に所定の微小な隙間を置いて対峙した状態を維持するようになっている。この隙間は、搬入コンベア２から秤量コンベア３に被測定物が安定して乗り移れる程度であればよい。また、この隙間は、搬送する被検査物の大きさによって調整してもよく、搬送方向の長さが比較的大きい被測定物は隙間を相対的に大きくし、搬送方向の長さが比較的小さい被測定物は隙間を相対的に狭くしてもよい。詳細は後述するが、制御部１０が秤量コンベア３と搬入コンベア２の各コンベア長設定手段５，６を制御し、各コンベア２，３のコンベア長及び前記隙間の長さを設定する。
【００２６】
図１（ａ）は、搬送方向の長さが相対的に大きい被測定物を計量する場合の設定であり、秤量コンベア３のコンベア長は相対的に長く設定され、搬入コンベア２のコンベア長はその分だけ短く設定されている。図１（ｂ）は、搬送方向の長さが相対的に小さい被測定物を計量する場合の設定であり、秤量コンベア３のコンベア長は相対的に短く設定され、搬入コンベア２のコンベア長はその分だけ長く設定されている。
【００２７】
本実施形態の重量測定装置１は、例えば工場の生産ライン等において、製造ラインの下流に配置される検査ライン等に設けられることを想定しており、さらに重量の測定結果に基づいて、検査ラインの下流側のラインで仕分けや選別等の作業を行うことも想定している。すなわち、この重量測定装置１は工場内の任意の位置に単独で配置されるものではなく、上流側のラインと下流側のラインとの間に確保された所定長さのスペースに設置されることを前提としている。このため、例えば被測定物の種類が変更され、その被測定物の長さに応じて秤量コンベア３のコンベア長を元の長さよりも長く設定した場合であっても、重量測定装置１は定められた所定長さのスペースに正規の態様で収まる必要性がある。本実施形態の重量測定装置１によれば、秤量コンベア３のコンベア長を上流側の搬入コンベア２と対峙する側に配置されたローラ群（Ｒ１、Ｒ２、Ｒ３）の操作により被測定物の長さに応じて変更できるとともに、全体としての機長は所定の値を維持できる利点があり、さらに、搬入コンベア２のコンベア長を下流側の秤量コンベア３とと対峙する側に配置されたローラ群（Ｒ６、Ｒ７、Ｒ８）の操作により秤量コンベアの長さに応じて変更できる利点があるので、このようなライン中に設けられる重量測定装置１としては利便性が高い。さらに、本実施形態の重量測定装置１は、先に説明したように秤量コンベア３の搬送方向の長さを被検査物の長さに応じて変更することができるという効果があり、しかも秤量コンベア３の長さの変更に応じて搬入コンベア２の長さも変更するため、全体としての長さは変化せず、所定サイズの設置位置に対する収まりがよいというさらなる効果を有しているが、さらに、このように秤量コンベア３と搬送コンベア２の搬送方向の長さを変更しても、搬送方向と直交する高さ方向の寸法には変わりがなく、図１には示さないコンベア周辺の機器等との干渉等を考慮しなくてよいという効果もある。
【００２８】
図２は、実施形態の重量測定装置１のうち、主として制御部１０の構成を示す機能ブロック図であり、特に制御部１０の機能中、測定条件や測定の基本情報等に基づいて秤量コンベア３等のコンベア長を最適に設定するための機能を、機能ブロック、信号・情報等の流れを示す矢印及び模式的なシンボル等によって示したものである。図２に示すように、制御部１０は、図１にも示したコンベア長設定手段５，６を制御して秤量コンベア３と搬入コンベア２の各コンベア長を任意に変更・設定することができる。また、コンベア長の変更等のために必要な情報は、自動入力と手動入力の２つの入力手法から任意に選択することができる。自動入力とは、主として被測定物の長さ等を装置側で測定してデータとして記憶しておき、必要時には当該被測定物の品種、品番等を指定してデータを呼び出す手法である。手動入力とは、被測定物の長さ等をキーボード等の入力手段により手入力で入力する手法である。これら入力手法の選択を行うため、制御部１０は手動・自動切替部１１を有している。
【００２９】
制御部１０は、手動・自動切替部１１を操作することによりコンベア長演算の機能を切り替える切替部１２を有している。まず、手動入力の場合に関係する構成について説明する。図２に切り替えの機能をスイッチのシンボルで象徴的に示したように、切替部１２は、２つの入力部１３，１４と一つの出力部１５に相当する機能を備えており、一方の入力部１３には測定条件入力部１６が接続されている。図１では、切替部１２は測定条件入力部１６に接続されている。測定条件入力部１６からは、測定条件として、測定能力（被測定物１個の重量測定に要する測定時間）と被測定物の長さが手動で入力される。
【００３０】
出力部１５には、記憶部１７が接続されており、記憶部１７には基本情報入力部１８が接続されている。基本情報入力部１８からは、基本情報として、被測定物の基準重量と、測定に求められる要求精度が手動で入力される他、必要に応じて秤量コンベア３の搬送速度も手動で入力される。基準重量とは、被測定物に求められる重量であり、通常は後述する要求精度の範囲に収められる複数の重量の値の中央値又は平均値である。要求精度とは、管理基準又は許容範囲とも称され、所定個数の被測定物に許容される重量の値のばらつきの上限及び下限の範囲を示す。なお、前述した測定条件入力部１６から入力される測定条件から、後述するコンベア長演算部１９において秤量コンベア３の搬送速度を自動算出できる場合は、基本情報入力部１８から秤量コンベア３の搬送速度を入力しなくてもよい。
【００３１】
記憶部１７には、測定条件入力部１６から入力された各種測定条件と、基本情報入力部１８から入力された各種基本情報が記憶される。さらに、記憶部１７には、測定時間と要求精度の対応関係を基準重量ごとに示す制御データが記憶されている。この制御データによれば、一般的には要求精度が高いほど必要とされる測定時間は長くなり、要求精度が低いほど必要とされる測定時間は短くなる。また、要求精度が同じであれば、基準重量が大きいほど、測定時間は長くなる。この制御データと、基本情報入力部１８から入力された被測定物の基準重量及び要求精度を用いれば、必要となる測定時間を取得することができ、後述するコンベア長演算部１９で秤量コンベア３のコンベア長を演算する際に使用することができる。
【００３２】
記憶部１７にはコンベア長演算部１９が接続されている。コンベア長演算部１９は、記憶部１７に記憶された基本情報と、測定条件と、制御データを用いて、次式（Ａ）を満たすような秤量コンベア３のコンベア長を演算する。
秤量コンベア３のコンベア長≧被測定物の長さ＋（測定時間×搬送速度）…式（Ａ）
【００３３】
すなわち、コンベア長演算部１９は、記憶部１７から被測定物の長さを取得し、記憶部１７から取得した要求精度と制御データから測定時間を演算し、記憶部１７から搬送速度を取得する。搬送速度は測定条件から演算してもよい。コンベア長演算部１９は、このように取得又は演算した各値から、上式（Ａ）に基づいて演算を行い、秤量コンベア３のコンベア長を示す第１設定データを取得する。
【００３４】
また、コンベア長演算部１９は、予め記憶部１７に記憶しておいた重量測定装置１の機長データから前記第１設定データを減算し、搬入コンベア２のコンベア長を示す第２設定データを取得する。
【００３５】
コンベア長演算部１９は、取得したコンベア長の第１設定データを、秤量コンベア３のコンベア長設定手段５に出力し、秤量コンベア３のコンベア長を設定する。また、取得したコンベア長の第２設定データを、搬入コンベア２のコンベア長設定手段６に出力し、搬入コンベア２のコンベア長を設定する。秤量コンベア３と搬入コンベア２の合計は機長データが示す一定の値に定められており、秤量コンベア３が長くなれば、その分だけ搬入コンベア２が短くなり、その逆も成り立つ。
【００３６】
測定条件や基本情報等の必要事項を手動入力した後、実際の生産作業を開始してラインに被測定物を投入する場合には、後述するモード切替部２１を生産モードとし、秤量コンベア３と搬入コンベア２の長さを被測定物に対応した最適な長さに設定した後に、搬入コンベア２、秤量コンベア３を含むラインを始動させればよい。
【００３７】
次に、自動入力の場合に関係する構成について説明する。切替部１２の他方の入力部１４には、測定部２０が接続されている。測定部２０はカメラやセンサで構成される。測定部２０は、搬入コンベア２及び秤量コンベア３の近傍又はこれらコンベアの上流側のライン近傍に配置され、ラインに投入された被測定物の投入ピッチと、被測定物の長さを測定する。測定結果は記憶部１７に記憶され、コンベア長演算部１９における演算に用いられる。
【００３８】
測定部２０にはモード切替部２１が接続されている。モード切替部２１は、本装置１を生産モードと学習モードの何れかに切り換える。学習モードは品種登録モードとも称され、被測定物の長さ、ラインへの投入ピッチをデータとして品種ごとに記憶部１７に登録するモードである。具体的には、生産に先立ち、上流側のラインから実際に搬送する被測定物を実際のピッチで投入し、搬入コンベア２及び秤量コンベア３で搬送し、測定部２０によって当該被測定物の長さや投入ピッチを実際に測定して記憶部１７に品種番号とともに登録する。
【００３９】
コンベア長演算部１９は、記憶部１７に記憶された基本情報と、測定部２０から入力された測定結果と、制御データを用いて、前式（Ａ）を満たすような秤量コンベア３のコンベア長を演算する。すなわち、コンベア長演算部１９は、記憶部１７から測定結果である被測定物の長さを取得し、記憶部１７から取得した要求精度と制御データから測定時間を演算し、記憶部１７から搬送速度を取得する。コンベア長演算部１９は、このように取得又は演算した各値から、前式（Ａ）に基づいて演算を行い、秤量コンベア３のコンベア長を示す第１設定データを取得し、自動の場合と同様に第２設定データを演算、取得する。その後の秤量コンベア３と搬入コンベア２の制御は自動の場合と同様である。
【００４０】
学習モードにおける作業が終了し、実際の生産作業を開始してラインに被測定物を投入する場合には、モード切替部２１を生産モードとし、基本情報入力部１８から被測定物の品種又は品番を入力し、秤量コンベア３と搬入コンベア２の長さを被測定物に対応した最適な長さに設定した後に、搬入コンベア２、秤量コンベア３を含むラインを始動させればよい。
【００４１】
本実施形態の重量測定装置１によれば、被測定物の長さ等を含む種々の検査条件等に基づいて秤量コンベア３の長さを演算し、当該長さを、被測定物の長さと、前記秤量コンベア３が測定時間内に被測定物を搬送する長さの合計以上の値に設定することができる。このため、どのような長さの被測定物についても安定した重量測定を確実に行うことができる。
【００４２】
また、被測定物の長さに対応して設定した秤量コンベア３の長さに応じて、搬入コンベア２の長さも適宜に設定することができるため、秤量コンベア３と搬入コンベア２の搬送方向の長さの合計値を常に一定の値とすることができる。このため、重量測定装置１の全体としての機長は変わらず、重量測定装置１の設置に必要とされるスペースに変更が生じることはなく、現場での段取り替え等の煩雑な作業が要求されることはない。
【００４３】
本実施形態の重量測定装置１によれば、連続して搬送される２個の被測定物のピッチが短い場合に、これら２個の被測定物を引き離すために搬入コンベア２を従来の助走コンベアのように増速して使用する必要がないため、搬入コンベア２と秤量コンベア３の速度を同期させて使用することにより、搬入コンベア２の速度と秤量コンベア３の速度との間で速度差が生じないようにすることができ、秤量コンベア３では常に安定計量が可能となる。
【００４４】
なお、以上説明した実施形態では、重量測定装置１は、上流側の搬入コンベア２と下流側の秤量コンベア３の組合せであったが、上流側の秤量コンベアと下流側の搬出コンベアの組合せとしてもよく、その場合にも実施形態と同様の効果が得られる。なお、下流側の搬出コンベアは、例えば選別装置を付設することにより選別ラインとして使用することができるが、その場合であっても、当該選別装置の選別機能が障害されない長さの範囲内であれば、秤量コンベアのコンベア長の長大化に伴って短縮化することは可能である。
【符号の説明】
【００４５】
１…重量測定装置
２…搬送コンベアとしての搬入コンベア
３…秤量コンベア
１０…制御部
１９…コンベア長演算部
【図１】
2020098117.tif 000003
【図２】
2020098117.tif 000004
【手続補正書】
【提出日】平成30年12月21日(2018.12.21)
【手続補正１】
【補正対象書類名】明細書
【補正対象項目名】０００８
【補正方法】変更
【補正の内容】
【０００８】
しかしながら、このような助走コンベアを用いた増速による引き離しにより、被測定物の間隔や姿勢に乱れが生じることがあり、またコンベア速度が上がることで測定精度が低下することがあった。さらに、助走コンベアの代替手段として、搬送されている被測定物を所定位置に留め置く開閉自在のシャッタ手段等を搬送ライン中に設け、被測定物の間隔を調整することも考えられるが、このような追加の機構を搬送ラインに付設すれば、結局助走コンベアを設けた場合と同様、重量測定装置として構成が冗長になり、全体としての機長が長くなることは避けられない。
【手続補正２】
【補正対象書類名】明細書
【補正対象項目名】００２７
【補正方法】変更
【補正の内容】
【００２７】
本実施形態の重量測定装置１は、例えば工場の生産ライン等において、製造ラインの下流に配置される検査ライン等に設けられることを想定しており、さらに重量の測定結果に基づいて、検査ラインの下流側のラインで仕分けや選別等の作業を行うことも想定している。すなわち、この重量測定装置１は工場内の任意の位置に単独で配置されるものではなく、上流側のラインと下流側のラインとの間に確保された所定長さのスペースに設置されることを前提としている。このため、例えば被測定物の種類が変更され、その被測定物の長さに応じて秤量コンベア３のコンベア長を元の長さよりも長く設定した場合であっても、重量測定装置１は定められた所定長さのスペースに正規の態様で収まる必要性がある。本実施形態の重量測定装置１によれば、秤量コンベア３のコンベア長を上流側の搬入コンベア２と対峙する側に配置されたローラ群（Ｒ１、Ｒ２、Ｒ３）の操作により被測定物の長さに応じて変更できるとともに、全体としての機長は所定の値を維持できる利点があり、さらに、搬入コンベア２のコンベア長を下流側の秤量コンベア３と対峙する側に配置されたローラ群（Ｒ６、Ｒ７、Ｒ８）の操作により秤量コンベアの長さに応じて変更できる利点があるので、このようなライン中に設けられる重量測定装置１としては利便性が高い。さらに、本実施形態の重量測定装置１は、先に説明したように秤量コンベア３の搬送方向の長さを被検査物の長さに応じて変更することができるという効果があり、しかも秤量コンベア３の長さの変更に応じて搬入コンベア２の長さも変更するため、全体としての長さは変化せず、所定サイズの設置位置に対する収まりがよいというさらなる効果を有しているが、さらに、このように秤量コンベア３と搬送コンベア２の搬送方向の長さを変更しても、搬送方向と直交する高さ方向の寸法には変わりがなく、図１には示さないコンベア周辺の機器等との干渉等を考慮しなくてよいという効果もある。